(57)【要約】【課題】直感的な操作が可能で、かつ疲労の少ない操作で表示部における表示をスクロールさせることができる携帯電子機器及び表示方法を提供する。【解決手段】表示部３と、表示部３に重ねて配置され、指示体との間の距離を検出可能なタッチパネル２とを備え、タッチパネル２の上空に指示体を持ってきたとき、該指示体が所定の領域上であって、かつタッチパネル２との間の距離が所定の距離以下であり、かつ０より大きい場合、表示部３における表示を所定方向に移動させる。これにより、直感的な操作で表示部３における表示を移動（即ちスクロール）させることができる。また、タッチパネル２の所定の領域の上空に指示体を置いている間、継続してスクロールが行われるので、疲労の少ない操作でスクロールさせることができる。【選択図】図１
2014081732.tif 000002
【特許請求の範囲】
【請求項１】
表示部と、
前記表示部に重ねて配置され、指示体との間の距離を検出可能なタッチパネルと、を備え、
前記タッチパネルの所定の領域において、前記距離が所定の距離以下であり、かつ０より大きい場合、前記表示部における少なくとも一部の表示が所定の方向に移動する、携帯電子機器であって、
前記所定の領域における、前記指示体に対応する場所に応じて、前記表示の移動の速さが変わる、
携帯電子機器。
【請求項２】
表示部と、
前記表示部に重ねて配置され、指示体との間の距離を検出可能なタッチパネルと、を備え、
前記タッチパネルの所定の領域において、前記距離が所定の距離以下であり、かつ０より大きい場合、前記表示部における少なくとも一部の表示が所定の方向に移動する、携帯電子機器であって、
前記所定の領域を、図形を用いて表示可能な、
携帯電子機器。
【請求項３】
表示部と、
前記表示部に重ねて配置され、指示体との間の距離を検出可能なタッチパネルと、を備え、
前記タッチパネルの所定の領域において、前記距離が所定の距離以下であり、かつ０より大きい場合、前記表示部における少なくとも一部の表示が所定の方向に移動する、携帯電子機器であって、
前記所定の領域は設定可能である、
携帯電子機器。
【請求項４】
請求項３に記載の携帯電子機器であって、
予め備えられた複数の所定の領域から使用者によって選択されることによって、設定可能である、
携帯電子機器。
【請求項５】
請求項３又は請求項４に記載の携帯電子機器であって、
使用者によって前記図形が変形又は／及び移動されることによって、前記所定の領域が設定可能である、
携帯電子機器。
【請求項６】
表示部と、
前記表示部に重ねて配置され、指示体との間の距離を検出可能なタッチパネルと、を備え、
前記タッチパネルの所定の領域において、前記距離が所定の距離以下であり、かつ０より大きい場合、前記表示部における少なくとも一部の表示が所定の方向に移動する、携帯電子機器であって、
前記タッチパネルの所定の領域において、前記距離が所定の距離以下であり、かつ０より大きい場合、前記表示部における表示が所定の方向に移動し、
かつ、前記所定の領域を表示可能である、
携帯電子機器。
【請求項７】
請求項６に記載の携帯電子機器であって、
少なくとも、第１モードと第２モードを備え、
前記第１モードにおいて、前記タッチパネルの所定の領域において、前記距離が所定の距離以下であり、かつ０より大きい場合、前記表示部における表示が所定の方向に移動し、
前記第２モードにおいて、前記所定の領域を表示する、
携帯電子機器。
【請求項８】
請求項７に記載の携帯電子機器であって、
少なくとも前記第２モードにおいて、前記所定の領域が設定可能である、
携帯電子機器。
【請求項９】
請求項７又は請求項８に記載の携帯電子機器であって、
前記第２モードにおいて、前記図形を所定の透過率で表示する、
携帯電子機器。
【請求項１０】
請求項９に記載の携帯電子機器であって、
前記第１モードにおいては、前記タッチパネルの所定の領域において、前記距離が所定の距離以下であり、かつ０より大きい場合、前記表示部における表示が所定の方向に移動するとともに、前記所定の領域を、第１透過率の図形を用いて表示し、
前記第２モードにおいては、前記所定の領域を、前記第１透過率より小さい第２透過率の図形を用いて表示する、
携帯電子機器。
【請求項１１】
表示部と、
前記表示部に重ねて配置され、指示体との間の距離を検出可能なタッチパネルと、を備え、
前記タッチパネルの所定の領域において、前記距離が所定の距離以下であり、かつ０より大きい場合、前記表示部における少なくとも一部の表示が所定の方向に移動する、携帯電子機器であって、
前記所定の領域を第１の領域とし、前記所定の方向を第１の方向とし、
前記タッチパネルの第２の領域において、前記距離が所定の距離以下であり、かつ０より大きい場合、前記表示部における表示が第２の方向に移動する、
携帯電子機器。
【請求項１２】
請求項１１に記載の携帯電子機器であって、
前記第２の方向は、前記第１の方向と反対の方向である、
携帯電子機器。
【請求項１３】
表示部と、
前記表示部に重ねて配置され、指示体との間の距離を検出可能なタッチパネルと、を備え、
前記タッチパネルの所定の領域において、前記距離が所定の距離以下であり、かつ０より大きい場合、前記表示部における少なくとも一部の表示が所定の方向に移動する、携帯電子機器であって、
前記表示部は、四角形であり、
前記所定の領域は、前記四角形の重心を通る線を境に一方に配置可能な、
携帯電子機器。
【請求項１４】
請求項１３に記載の携帯電子機器であって、
重力を検出するセンサーを備え、
前記所定の領域は、前記四角形の重心を通る線を境に、重力方向側に配置される
携帯電子機器。
【請求項１５】
請求項１３に記載の携帯電子機器であって、
前記表示部は、長方形であり、
前記長方形の長手方向について２分する第１の線と、前記長方形の短手方向について２分する第２の線を仮想的に想定した場合、前記所定の領域は、前記第１の線を境に一方であり、かつ前記第２の線を境に一方である部分を、少なくとも一部含む、
携帯電子機器。
【請求項１６】
表示部と、
前記表示部に重ねて配置され、指示体との間の距離を検出可能なタッチパネルと、を備え、
前記タッチパネルの所定の領域において、前記距離が所定の距離以下であり、かつ０より大きい場合、前記表示部における少なくとも一部の表示が所定の方向に移動する、携帯電子機器であって、
前記表示部は、四角形であり、
前記所定の領域は、前記四角形の一辺に沿って配置された、
携帯電子機器。
【請求項１７】
請求項１６に記載の携帯電子機器であって、
前記所定の領域は、第３の領域と第４の領域を備え、
前記第３の領域は、前記四角形の第１の辺に沿って配置され、
前記第４の領域は、前記四角形の、前記第１の辺と向かい合う第２の辺に沿って配置される、
携帯電子機器。
【請求項１８】
請求項１７に記載の携帯電子機器であって、
前記四角形は長方形であって、
前記第３の領域は、前記長方形の第１の長辺に沿って配置され、
前記第４の領域は、前記長方形の、前記第１の長辺と向かい合う第２の長辺に沿って配置される、
携帯電子機器。
【請求項１９】
表示部と、
前記表示部に重ねて配置され、指示体との間の距離を検出可能なタッチパネルと、を備え、
前記タッチパネルの所定の領域において、前記距離が所定の距離以下であり、かつ０より大きい場合、前記表示部における少なくとも一部の表示が所定の方向に移動する、携帯電子機器であって、
前記表示部は、所定の機能に対応したアイコンを表示可能であり、
前記所定の領域の少なくとも一部は、前記アイコンと重なっている、
携帯電子機器。
【請求項２０】
請求項１９に記載の携帯電子機器であって、
前記所定の機能は、前記アイコンにおける前記距離が０になることを契機に実行する、
携帯電子機器。
【請求項２１】
表示部と、
前記表示部に重ねて配置され、指示体との間の距離を検出可能なタッチパネルと、を備え、
前記タッチパネルの所定の領域において、前記距離が所定の距離以下であり、かつ０より大きい場合、前記表示部における少なくとも一部の表示が所定の方向に移動する、携帯電子機器であって、
前記タッチパネルは、一部分が前記表示部に重なっていると伴に、他の部分は前記表示部と重ならず、
前記所定の領域の少なくとも一部は、前記タッチパネルの、前記表示部と重ならない部分にある、
携帯電子機器。
【請求項２２】
請求項２１に記載の携帯電子機器であって、
前記タッチパネルの、前記表示部と重ならない部分に、所定の機能が割り当てられ、
前記所定の機能は、前記距離が０になることを契機に実行する、
携帯電子機器。
【請求項２３】
請求項１９、請求項２０及び請求項２２のいずれか１項に記載の携帯電子機器であって、
前記所定の機能は、ホームキー、リターンキー、サーチキー、電源キー、ボリュームキー、及び、メニューキーのいずれか１つの機能である、
携帯電子機器。
【請求項２４】
表示部と、
前記表示部に重ねて配置され、指示体との間の距離を検出可能なタッチパネルと、を備え、
前記タッチパネルの所定の領域において、前記距離が所定の距離以下であり、かつ０より大きい場合、前記表示部における少なくとも一部の表示が所定の方向に移動する、携帯電子機器であって、
前記距離が第１の距離以下であり、かつ０より大きい状態が所定時間続く場合、前記所定の領域を、前記指示体のタッチパネルにおける位置に対応するように設定し、
前記所定の領域において、前記距離が第２の距離以下であり、かつ０より大きい場合、前記表示部における表示が所定の方向に移動する、
携帯電子機器。
【請求項２５】
請求項２４に記載の携帯電子機器であって、
前記距離が第１の距離以下であり、かつ０より大きい状態が所定時間続く場合、第１の領域を、前記指示体のタッチパネルにおける位置に対応するように設定し、かつ、第２の領域を前記第１の領域に並ぶように設定し、
前記タッチパネルの第１の領域において、前記距離が第２の距離以下であり、かつ０より大きい場合、前記表示部における表示が第１の方向に移動し、
前記タッチパネルの第２の領域において、前記距離が第２の距離以下であり、かつ０より大きい場合、前記表示部における表示が第２の方向に移動する、
携帯電子機器。
【請求項２６】
請求項２５に記載の携帯電子機器であって、
前記第２の方向は、前記第１の方向と反対の方向である、
携帯電子機器。
【請求項２７】
請求項２４から請求項２６のいずれか１項に記載の携帯電子機器であって、
前記第１の距離と前記第２の距離は同じである、
携帯電子機器。
【請求項２８】
表示部と、前記表示部に重ねて配置され、指示体との間の距離を検出可能なタッチパネルと、を備える電子機器で利用可能な表示方法であって、
前記タッチパネルの所定の領域において、前記距離が所定の距離以下であり、かつ０より大きい場合、前記表示部における少なくとも一部の表示が所定の方向に移動する表示方法であり、
前記所定の領域における、前記指示体に対応する場所に応じて、前記表示の移動の速さが変わる、
表示方法。
【発明の詳細な説明】
【技術分野】
【０００１】
本発明は、タッチパネルを搭載した携帯電子機器及び表示方法に関する。
【背景技術】
【０００２】
上述した携帯電子機器において、フリック操作によって情報のスクロールを行うようにしたものの一例が特許文献１に記載されている。この特許文献１に記載された携帯情報端末は、情報を表示する表示部と、前記表示部の前面に設けられたタッチパネルと、複数の情報をグループ化して記憶する記憶部と、前記表示部に前記記憶部に記憶された情報を表示する制御部とを備え、前記制御部は、タッチパネルに対して操作がなされたことを検出した場合に、前記表示部における前記記憶部中の情報の表示対象とするグループを切替える。
また、近接を検知可能な情報表示装置において、近接状態において指等の操作に伴い、表示を変化させるものの一例が特許文献２（図１３等）に記載されている。この特許文献２に記載された情報表示装置は、情報を表示する表示部と、前記表示部の前面に設けられ近接状態の操作を検知できるタッチパネルと、表示部上のアイコン等の表示を制御する制御部とを備え、前記制御部は、指等の回転をタッチパネルで検知すると、その回転に伴ってアイコン等を回転させる。
【先行技術文献】
【特許文献】
【０００３】
【特許文献１】特開２０１０−１０３９１９号公報
【特許文献２】特開２００８−１１７３７１号公報
【発明の概要】
【発明が解決しようとする課題】
【０００４】
ところで、上述した携帯電子機器を含むフリック操作によって情報のスクロールが可能な電子機器では、長い文章をスクロールする場合、フリック操作の繰り返しになるので、指が疲れてしまうという課題がある。
【０００５】
本発明は、係る事情に鑑みてなされたものであり、直感的な操作が可能で、かつ疲労の少ない操作で表示部における表示をスクロールさせることができる携帯電子機器及び表示方法を提供することを目的とする。
【課題を解決するための手段】
【０００６】
本発明の携帯電子機器は、表示部と、前記表示部に重ねて配置され、指示体との間の距離を検出可能なタッチパネルと、を備え、前記タッチパネルの所定の領域において、前記距離が所定の距離以下であり、かつ０より大きい場合、前記表示部における少なくとも一部の表示が所定の方向に移動する、携帯電子機器であって、前記所定の領域における、前記指示体に対応する場所に応じて、前記表示の移動の速さが変わる。
【０００７】
上記構成によれば、タッチパネルの上空に指示体（例えば“指”）を持ってきたとき、該指示体が所定の領域上であって、かつタッチパネルとの間の距離が所定の距離以下であり、かつ０より大きい場合、表示部における表示を所定方向に移動させるので、直感的な操作で表示部における表示を移動（即ちスクロール）させることができる。また、タッチパネルの所定の領域の上空に指示体を置いている間、継続してスクロールが行われるので、疲労の少ない操作でスクロールさせることができる。更に、所定の領域における指示体に対応する場所に応じて、表示の移動の速さが変わるので、所定の領域の限られた範囲で指等を動かすだけで、即ち疲労の少ない操作でスクロール等の速さを変化させることができる。
【０００８】
また、本発明の携帯電子機器は、表示部と、前記表示部に重ねて配置され、指示体との間の距離を検出可能なタッチパネルと、を備え、前記タッチパネルの所定の領域において、前記距離が所定の距離以下であり、かつ０より大きい場合、前記表示部における少なくとも一部の表示が所定の方向に移動する、携帯電子機器であって、前記所定の領域を、図形を用いて表示可能である。
【０００９】
上記構成によれば、所定の領域を図形で表示するので、当該領域を容易に認識することができ、操作性向上が図れる。なお、図形として、四角形、三角形、円、楕円、扇形等が挙げられる。
【００１０】
また、本発明の携帯電子機器は、表示部と、前記表示部に重ねて配置され、指示体との間の距離を検出可能なタッチパネルと、を備え、前記タッチパネルの所定の領域において、前記距離が所定の距離以下であり、かつ０より大きい場合、前記表示部における少なくとも一部の表示が所定の方向に移動する、携帯電子機器であって、前記所定の領域は設定可能である。
【００１１】
上記構成によれば、所定の領域を予め所定の位置に設定したり、使用者が任意の位置に設定したりことが可能となる。使用者が任意の位置に設定する場合、操作し易い位置に設定できるので、操作性の向上が図れる。
【００１２】
また、本発明の携帯電子機器は、予め備えられた複数の所定の領域から使用者によって選択されることによって、設定可能である。
【００１３】
上記構成によれば、複数の所定の領域のなかから使用者が自身で操作し易いと思う位置のものを選択することができるので、操作性の向上が図れる。
【００１４】
また、本発明の携帯電子機器は、使用者によって前記図形が変形又は／及び移動されることによって、前記所定の領域が設定可能である。
【００１５】
上記構成によれば、所定の領域の図形や位置を使用者が自由に設定することができるので、操作性の向上が図れる。
【００１６】
また、本発明の携帯電子機器は、表示部と、前記表示部に重ねて配置され、指示体との間の距離を検出可能なタッチパネルと、を備え、前記タッチパネルの所定の領域において、前記距離が所定の距離以下であり、かつ０より大きい場合、前記表示部における少なくとも一部の表示が所定の方向に移動する、携帯電子機器であって、前記タッチパネルの所定の領域において、前記距離が所定の距離以下であり、かつ０より大きい場合、前記表示部における表示が所定の方向に移動し、かつ、前記所定の領域を表示可能である。
【００１７】
上記構成によれば、表示部における表示が所定方向に移動するときに、所定の領域が表示可能となるので、使用者は所定の領域を容易に認識することができ、操作性の向上が図れる。なお、所定の領域を、例えば実線、点線、破線等で表示する他、線の濃度を変えるようにしても良い。
【００１８】
また、本発明の携帯電子機器は、少なくとも、第１モードと第２モードを備え、前記第１モードにおいて、前記タッチパネルの所定の領域において、前記距離が所定の距離以下であり、かつ０より大きい場合、前記表示部における表示が所定の方向に移動し、前記第２モードにおいて、前記所定の領域を表示する。
【００１９】
上記構成によれば、表示部における表示を所定の方向へ移動させる処理と、所定の領域を表示する処理とを、別々のモードとするので、表示部における表示の所定の方向への移動と、所定の領域の表示を、それぞれ単独で行うことが可能となる。
【００２０】
また、本発明の携帯電子機器は、少なくとも前記第２モードにおいて、前記所定の領域が設定可能である。
【００２１】
上記構成によれば、第２モードにおいて、所定の領域を設定することが可能であり、また、所定の領域を、使用者が任意の位置に設定することも可能である。使用者が操作し易い位置に設定できることで、操作性の向上が図れる。
【００２２】
また、本発明の携帯電子機器は、前記第２モードにおいて、前記図形を所定の透過率で表示する。
【００２３】
上記構成によれば、第２モードにおいて、図形を所定の透過率で表示させることで、必要に応じて図形を目立つようにすることも、目立たないようにもすることも可能となる。透過率が大きい程、図形は透けて見える。透過率１００％は、図形は見えなく図形の下が見える。透過率０％は、図形は見え、図形の下は見えない。
【００２４】
また、本発明の携帯電子機器は、前記第１モードにおいては、前記タッチパネルの所定の領域において、前記距離が所定の距離以下であり、かつ０より大きい場合、前記表示部における表示が所定の方向に移動するとともに、前記所定の領域を、第１透過率の図形を用いて表示し、前記第２モードにおいては、前記所定の領域を、前記第１透過率より小さい第２透過率の図形を用いて表示する。
【００２５】
上記構成によれば、第１モードにおいては、表示を所定の方向に移動させるとともに、所定の領域が視認の邪魔にならないような透過率の図形を用いて表示し、表示を所定の方向に移動させることがないときは、所定の領域が視認できるような透過率の図形を用いて表示するので、操作性の向上が図れる。
【００２６】
また、本発明の携帯電子機器は、表示部と、前記表示部に重ねて配置され、指示体との間の距離を検出可能なタッチパネルと、を備え、前記タッチパネルの所定の領域において、前記距離が所定の距離以下であり、かつ０より大きい場合、前記表示部における少なくとも一部の表示が所定の方向に移動する、携帯電子機器であって、前記所定の領域を第１の領域とし、前記所定の方向を第１の方向とし、前記タッチパネルの第２の領域において、前記距離が所定の距離以下であり、かつ０より大きい場合、前記表示部における表示が第２の方向に移動する。
【００２７】
上記構成によれば、指示体が第１の領域上に置かれているときは、表示を第１の方向に移動させ、指示体が第２の領域上に置かれているときは、表示を第２の方向に移動させるので、使用者は、指示体を置く位置を変えるだけで、表示を第１の方向又は第２の方向に移動させることができ、操作性の向上が図れる。
【００２８】
また、本発明の携帯電子機器は、前記第２の方向は、前記第１の方向と反対の方向である。
【００２９】
また、本発明の携帯電子機器は、表示部と、前記表示部に重ねて配置され、指示体との間の距離を検出可能なタッチパネルと、を備え、前記タッチパネルの所定の領域において、前記距離が所定の距離以下であり、かつ０より大きい場合、前記表示部における少なくとも一部の表示が所定の方向に移動する、携帯電子機器であって、前記表示部は、四角形であり、前記所定の領域は、前記四角形の重心を通る線を境に一方に配置可能である。
【００３０】
上記構成によれば、表示部の形状を四角形とし、所定の領域を、四角形の表示部の重心を通る線を境に一方に配置するので、使用者は、装置本体を天地逆にして持っても所定の領域の位置を把握することができる。
【００３１】
また、本発明の携帯電子機器は、重力を検出するセンサーを備え、前記所定の領域は、前記四角形の重心を通る線を境に、重力方向側に配置される。
【００３２】
上記構成によれば、重力を検出するセンサーを備えることで、装置本体の向きが変わっても所定の領域が重力方向側に配置されるので、使用者は、装置本体の持ち方を変えても所定の領域の位置を把握することができる。
【００３３】
また、本発明の携帯電子機器は、前記表示部は、長方形であり、前記長方形の長手方向について２分する第１の線と、前記長方形の短手方向について２分する第２の線を仮想的に想定した場合、前記所定の領域は、前記第１の線を境に一方であり、かつ前記第２の線を境に一方である部分を、少なくとも一部含む。
【００３４】
上記構成によれば、表示部の形状が長方形であり、該表示部の長手方向について２分する第１の線と、短手方向について２分する第２の線が仮想的に想定されて、所定の領域が、第１の線を境に一方であり、かつ第２の線を境に一方である部分を、少なくとも一部含むので、使用者は、表示部における表示の所定の方向への移動を、指示体（例えば“指”）を大きく動かすことなく行うことができる。
【００３５】
また、本発明の携帯電子機器は、表示部と、前記表示部に重ねて配置され、指示体との間の距離を検出可能なタッチパネルと、を備え、前記タッチパネルの所定の領域において、前記距離が所定の距離以下であり、かつ０より大きい場合、前記表示部における少なくとも一部の表示が所定の方向に移動する、携帯電子機器であって、前記表示部は、四角形であり、前記所定の領域は、前記四角形の一辺に沿って配置された。
【００３６】
上記構成によれば、表示部の形状が四角形であり、所定の領域が、四角形の表示部の一辺に沿って配置されるので、使用者は、表示部における表示の所定の方向への移動を、指示体（例えば“指”）を大きく動かすことなく行うことができる。
【００３７】
また、本発明の携帯電子機器は、前記所定の領域は、第３の領域と第４の領域を備え、前記第３の領域は、前記四角形の第１の辺に沿って配置され、前記第４の領域は、前記四角形の、前記第１の辺と向かい合う第２の辺に沿って配置される。
【００３８】
上記構成によれば、所定の領域が、第３の領域と第４の領域の２つの領域から成り、第３の領域が、四角形の表示部の第１の辺に沿って配置され、第４の領域が、四角形の表示部の第１の辺と向かい合う第２の辺に沿って配置されるので、使用者は、表示部における表示の所定の方向への移動を、指示体（例えば“指”）を大きく動かすことなく行うことができる。
【００３９】
また、本発明の携帯電子機器は、前記四角形は長方形であって、前記第３の領域は、前記長方形の第１の長辺に沿って配置され、前記第４の領域は、前記長方形の、前記第１の長辺と向かい合う第２の長辺に沿って配置される。
【００４０】
上記構成によれば、表示部の形状が長方形であり、第３の領域が、長方形の表示部の第１の長辺に沿って配置され、第４の領域が、長方形の表示部の第１の長辺と向かい合う第２の長辺に沿って配置されるので、使用者は、表示部における表示の所定の方向への移動を、指示体（例えば“指”）を大きく動かすことなく行うことができる。
【００４１】
また、本発明の携帯電子機器は、表示部と、前記表示部に重ねて配置され、指示体との間の距離を検出可能なタッチパネルと、を備え、前記タッチパネルの所定の領域において、前記距離が所定の距離以下であり、かつ０より大きい場合、前記表示部における少なくとも一部の表示が所定の方向に移動する、携帯電子機器であって、前記表示部は、所定の機能に対応したアイコンを表示可能であり、前記所定の領域の少なくとも一部は、前記アイコンと重なっている。
【００４２】
上記構成によれば、所定の機能の実行と、表示部における表示の所定の方向への移動を、指示体（例えば“指”）を大きく動かすことなく行うことができる。
【００４３】
また、本発明の携帯電子機器は、前記所定の機能は、前記アイコンにおける前記距離が０になることを契機に実行する。
【００４４】
上記構成によれば、アイコンに触れることで所定の機能を実行させることができる。
【００４５】
また、本発明の携帯電子機器は、表示部と、前記表示部に重ねて配置され、指示体との間の距離を検出可能なタッチパネルと、を備え、前記タッチパネルの所定の領域において、前記距離が所定の距離以下であり、かつ０より大きい場合、前記表示部における少なくとも一部の表示が所定の方向に移動する、携帯電子機器であって、前記タッチパネルは、一部分が前記表示部に重なっていると伴に、他の部分は前記表示部と重ならず、前記所定の領域の少なくとも一部は、前記タッチパネルの、前記表示部と重ならない部分にある。
【００４６】
上記構成によれば、所定の機能の実行と、表示部における表示の所定の方向への移動を、指示体（例えば“指”）を大きく動かすことなく行うことができる。
【００４７】
また、本発明の携帯電子機器は、前記タッチパネルの、前記表示部と重ならない部分に、所定の機能が割り当てられ、前記所定の機能は、前記距離が０になることを契機に実行する。
【００４８】
上記構成によれば、指示体（例えば“指”）が表示部に重なることなく、所定の機能を実行させることができる。
【００４９】
また、本発明の携帯電子機器は、前記所定の機能は、ホームキー、リターンキー、サーチキー、電源キー、ボリュームキー、及び、メニューキーのいずれか１つの機能である。
【００５０】
また、本発明の携帯電子機器は、表示部と、前記表示部に重ねて配置され、指示体との間の距離を検出可能なタッチパネルと、を備え、前記タッチパネルの所定の領域において、前記距離が所定の距離以下であり、かつ０より大きい場合、前記表示部における少なくとも一部の表示が所定の方向に移動する、携帯電子機器であって、前記距離が第１の距離以下であり、かつ０より大きい状態が所定時間続く場合、前記所定の領域を、前記指示体のタッチパネルにおける位置に対応するように設定し、前記所定の領域において、前記距離が第２の距離以下であり、かつ０より大きい場合、前記表示部における表示が所定の方向に移動する。
【００５１】
上記構成によれば、タッチパネルと指示体との間の距離が第１の距離以下であり、かつ０より大きい状態が所定時間続く場合、所定の領域が、指示体のタッチパネルにおける位置に対応するように設定され、設定された所定の領域において、指示体とタッチパネルとの間の距離が第２の距離以下であり、かつ０より大きい場合、表示部における表示が所定の方向に移動するので、使用者は、タッチパネル上の所望の位置に所定の領域を設定することができる。そして、設定した所定の領域において、指示体とタッチパネルとの間の距離が第２の距離以下であり、かつ０より大きい場合、表示部における表示が所定の方向に移動する。このように、タッチパネル上の所望の位置で、表示部における表示をスクロールさせることができる。
【００５２】
また、本発明の携帯電子機器は、前記距離が第１の距離以下であり、かつ０より大きい状態が所定時間続く場合、第１の領域を、前記指示体のタッチパネルにおける位置に対応するように設定し、かつ、第２の領域を前記第１の領域に並ぶように設定し、前記タッチパネルの第１の領域において、前記距離が第２の距離以下であり、かつ０より大きい場合、前記表示部における表示が第１の方向に移動し、前記タッチパネルの第２の領域において、前記距離が第２の距離以下であり、かつ０より大きい場合、前記表示部における表示が第２の方向に移動する。
【００５３】
上記構成によれば、使用者は、タッチパネル上の指示体が置かれた位置に第１の領域とこの第１の領域に並ぶように第２の領域を設定することができ、設定した第１の領域において、指示体とタッチパネルとの間の距離が第２の距離以下であり、かつ０より大きい場合、表示部における表示が第１の方向に移動し、設定した第２の領域において、指示体とタッチパネルとの間の距離が第２の距離以下であり、かつ０より大きい場合、表示部における表示が第２の方向に移動する。このように、タッチパネル上の所望の位置で、表示部における表示を第１の方向と第２の方向にスクロールさせることができる。
【００５４】
また、本発明の携帯電子機器は、前記第２の方向は、前記第１の方向と反対の方向である。
【００５５】
また、本発明の携帯電子機器は、前記第１の距離と前記第２の距離は同じである。
【００５６】
本発明の表示方法は、表示部と、前記表示部に重ねて配置され、指示体との間の距離を検出可能なタッチパネルと、を備える電子機器で利用可能な表示方法であって、前記タッチパネルの所定の領域において、前記距離が所定の距離以下であり、かつ０より大きい場合、前記表示部における少なくとも一部の表示が所定の方向に移動する表示方法であり、  前記所定の領域における、前記指示体に対応する場所に応じて、前記表示の移動の速さが変わる。
【００５７】
上記方法によれば、タッチパネルの上空に指示体（例えば“指”）を持ってきたとき、該指示体が所定の領域上であって、かつタッチパネルとの間の距離が所定の距離以下であり、かつ０より大きい場合、表示部における表示を所定方向に移動させるので、直感的な操作で表示部における表示を移動（即ちスクロール）させることができる。また、タッチパネルの所定の領域の上空に指示体を置いている間、継続してスクロールが行われるので、疲労の少ない操作でスクロールさせることができる。更に、所定の領域における指示体に対応する場所に応じて、表示の移動の速さが変わるので、所定の領域の限られた範囲で指等を動かすだけで、即ち疲労の少ない操作でスクロール等の速さを変化させることができる。
【発明の効果】
【００５８】
本発明によれば、直感的な操作が可能で、かつ疲労の少ない操作で表示部における表示をスクロールさせることができる。
【図面の簡単な説明】
【００５９】
【図１】本発明の一実施の形態に係る携帯電子機器の概略構成を示すブロック図
【図２】図１の携帯電子機器の概観を示す斜視図
【図３】図１の携帯電子機器において、スクロール有効領域を横長の長方形として点線で表示した例を示す斜視図
【図４】図１の携帯電子機器のスクロール処理を示すフローチャート
【図５】図１の携帯電子機器の実施形態（１）のスクロール有効領域設定処理を示すフローチャート
【図６】図１の携帯電子機器の実施形態（２）のスクロール有効領域選択処理を示すフローチャート
【図７】図１の携帯電子機器の実施形態（３）を示す斜視図
【図８】図１の携帯電子機器の実施形態（３）のスクロール有効領域のサイズ・位置変更処理を示すフローチャート
【図９】図１の携帯電子機器の実施形態（５）を示す斜視図
【図１０】図１の携帯電子機器の実施形態（７）を示す斜視図
【図１１】図１の携帯電子機器の実施形態（１０）を示す斜視図
【図１２】図１の携帯電子機器の実施形態（１１）を示す斜視図
【図１３】図１の携帯電子機器の実施形態（１２）を示す斜視図
【図１４】図１の携帯電子機器の実施形態（１３）を示す斜視図
【発明を実施するための形態】
【００６０】
以下、本発明を実施するための好適な実施の形態について、図面を参照して詳細に説明する。
【００６１】
図１は、本発明の一実施の形態に係る携帯電子機器の概略構成を示すブロック図である。図２は、図１の携帯電子機器の概観を示す斜視図である。なお、本実施の形態に係る携帯電子機器１は、例えばスマートフォンと呼ばれる携帯無線機に適用したものであり、無線機としての通信に関する部分は省略している。
【００６２】
図１において、本実施の形態に係る携帯電子機器１は、タッチパネル２、表示部３、加速度検出部４、記憶部５及び制御部６を備える。また、図２に示すように、携帯電子機器１は、縦長長方形状の筐体７を有しており、この筐体７の前面側に、筐体７の前面の面積より僅かに小さい面積のタッチパネル２及び表示部３が配置される。タッチパネル２は表示部３の前面側に重ねて配置される。
【００６３】
タッチパネル２は、パネル面に指示体（使用者の指やペン等であり、本実施の形態では“指”として扱うこととする）が触れることなく所定の範囲の高さでの操作（“ホバー操作”）が可能な静電容量方式を採用したものである。タッチパネル２は、図示せぬ送信電極と受信電極とを備えており、これらが板状の誘電体の下面に離間して配置されている。送信電極には送信信号に基づく駆動パルスが印加される。これにより送信電極から電界が発生し、この電界中に指が入ると、送信電極と受信電極の間の電気力線の数が減少し、電気力線の数の変化が受信電極における電荷の変化として現れる。タッチパネル２は、受信電極における電荷の変化に応じた受信信号から指を検出し、検出した指の位置（Ｘ，Ｙ，Ｚ）を示す座標データを制御部６に出力する。
【００６４】
表示部３は、四角形状を成し、携帯電子機器１を操作するための表示や画像等の表示に使用される。表示部３には、ＬＣＤ（Liquid Crystal Display）、有機ＥＬ（Electro Luminescence）又は電子ペーパーが用いられる。加速度検出部４は、重力加速度を検出するものであり、検出した重力加速度を制御部６に出力する。記憶部５は、ＤＲＡＭ（Dynamic Random Access Memory）等の揮発性メモリを有し、使用者が携帯電子機器１を使用するうえでの設定を行った際にその設定状態を記憶する。
【００６５】
制御部６は、ＣＰＵ（Central Processing Unit）、ＲＯＭ（Read Only Memory）、ＲＡＭ（Random Access Memory）及びインタフェース回路で構成される。該ＲＯＭにはＣＰＵを制御するためのプログラムが記憶されており、該ＲＡＭはＣＰＵの動作において使用される。制御部６は、表示に関する動作のモードとして、表示部３における表示を所定の方向にスクロールさせるモード（これを“第１モード”と呼ぶ）と、タッチパネル２の所定の領域（以下、“スクロール有効領域”と呼ぶ）を表示するモード（これを“第２モード”と呼ぶ）を有する。なお、通常使用時のモードを“使用モード”と呼ぶ。
【００６６】
制御部６は、第１モードでは、タッチパネル２より座標データ（Ｘ，Ｙ，Ｚデータ）を取得して、Ｚデータより指の近接を判定し、さらにＸデータ及びＹデータより該指がタッチパネル２のスクロール有効領域上にあるかどうか判定する。指がタッチパネル２のスクロール有効領域上にある場合、該指とタッチパネル２との間の距離を判定し、該距離が所定の距離以下であり、かつ、０より大きい場合（即ち“有効高さ内”の場合）、表示部３における表示のスクロール方向及び速度を決定し、同表示のスクロールを実行する。このスクロールは、指がタッチパネル２のスクロール有効領域上の有効高さ内に置かれている間、継続する。
【００６７】
また、制御部６は、第２モードでは、タッチパネル２のスクロール有効領域を、図形を用いて表示する。図３は、スクロール有効領域１０を横長の長方形として点線で表示した例を示す斜視図である。この図に示す例では、スクロール有効領域１０を筐体７の下端側に設定している。スクロール有効領域１０を図形で表示することで、使用者は当該領域１０を容易に認識することができ、これにより操作性向上が図れる。第２モードでは、スクロール有効領域１０を表示する以外に、スクロール有効領域１０の形状、線種や線濃度の変更を可能としている。スクロール有効領域１０の形状としては、図３に示す四角形の他、例えば三角形、円、楕円、扇形が挙げられる。また、スクロール有効領域１０の線種としては、例えば実線、点線、破線が挙げられる。
【００６８】
なお、第１モードにおいてスクロール有効領域１０の表示を排除するものではなく、例えば薄く透過して表示するようにしても良い。また、第２モードにおいて表示部３における表示のスクロールを排除するものではない。
【００６９】
図３に示す例では、スクロール有効領域１０内に所定の機能に対応したアイコン３０〜３２を表示するようにしている。スクロール有効領域１０とアイコン３０〜３２を隣接配置することでも操作性を向上させることができる。
【００７０】
このように、タッチパネル２のスクロール有効領域１０上の有効高さ内に指を持ってくるだけの直感的な操作で、表示部３における表示をスクロールさせることができる。また、指をタッチパネル２のスクロール有効領域１０上の有効高さ内に留めて置くことで、スクロールが継続するので、楽にスクロール操作を行うことができる。
【００７１】
また、制御部６は、加速度検出部４で検出された重力加速度を基に携帯電子機器１の向きを検出し、四角形の表示部３の重心を通る線（水平方向の線）を境に、スクロール有効領域１０を重力方向側に配置する。これにより、機器本体が天地逆になっても（即ち、１８０度ひっくり返っても）、スクロール有効領域１０が正常の姿勢で表示される。勿論、機器本体が天地逆になった場合、表示部３における表示も逆になる。使用者は、携帯電子機器１の持ち方を変えても、常に正常にスクロール操作を行うことができる。
【００７２】
また、制御部６は、アイコン３０〜３２のそれぞれに使用者の指が触れた場合（タッチパネル２と使用者の指との間の距離が「０（ゼロ）」になった場合）、そのことを契機にそれぞれの機能を実行する。例えば、使用者の指がアイコン３０に触れると、制御部６は、アイコン３０に対応付けられた機能を実行する。
【００７３】
次に、本実施の形態に係る携帯電子機器１の動作を説明する。
図４は、本実施の形態に係る携帯電子機器１のスクロール処理を示すフローチャートである。同図において、制御部６は、タッチパネル２よりＸ，Ｙ，Ｚデータを取得する（ステップＳ１）。次いで、取得したＸ，Ｙ，Ｚデータより使用者の指がスクロール有効領域１０で、かつ有効高さ内にあるかどうか判定する（ステップＳ２）。この判定において、使用者の指がスクロール有効領域１０で、かつ有効高さ内にあると判断した場合（即ち、ステップＳ２の判定で「ＹＥＳ」と判断した場合）、スクロール方向及び速度を決定する（ステップＳ３）。スクロール方向及び速度を決定した後、スクロールを実行する（ステップＳ４）。一方、ステップＳ２の判定で、使用者の指がスクロール有効領域１０で、かつ有効高さ内にないと判断した場合（即ち、ステップＳ２の判定で「ＮＯ」と判断した場合）、ステップＳ１に戻り、再度タッチパネル２よりＸ，Ｙ，Ｚデータを取得する。
【００７４】
このように本実施の形態に係る携帯電子機器１によれば、タッチパネル２の上空に指を持ってきたとき、該指がスクロール有効領域１０上の有効高さ内である場合、表示部３における表示をスクロールさせるので、直感的な操作で表示部３における表示をスクロールさせることができる。また、タッチパネル２のスクロール有効領域１０上の有効高さ内に指を置いている間、継続してスクロールが行われるので、疲労の少ない操作でスクロールさせることができる。
なお、このスクロールは、表示部３の全面の表示についてのスクロールであっても良いし、一部の表示についてのスクロールであっても良い。
【００７５】
また、本実施の形態に係る携帯電子機器１は、スマートフォンと呼ばれる携帯無線機に適用したものであったが、携帯無線機に限らず、電子レンジ等の家電や、自動車等のナビゲーション等の操作パネルでも適用可能である。
【００７６】
次に、本実施の形態に係る携帯電子機器１の具体的な実施形態について説明する。
【００７７】
実施形態（１）
上記実施の形態では、スクロール有効領域１０の位置を固定したが、使用者の好みの位置に設定できるようにしても良い。実施形態（１）では、使用者がタッチパネル２上の任意の位置の有効高さ内に指を持ってきて、その状態が所定時間継続すると、そのときのタッチパネル２上の位置がスクロール有効領域１０として設定される。スクロール有効領域１０を使用者の好みの位置に設定できるようにすることで、使用者は操作し易い位置にスクロール有効領域１０を設定できるので、操作性の向上が図れる。なお、スクロール有効領域１０が設定された直後にスクロールが実行されるようにしても良い。
【００７８】
図５は、実施形態（１）のスクロール有効領域設定処理を示すフローチャートである。同図において、制御部６は、タッチパネル２よりＸ，Ｙ，Ｚデータを取得する（ステップＳ１０）。次いで、取得したＸ，Ｙ，Ｚデータより使用者の指が領域設定有効高さにあって、かつ当該高さの状態で有効時間を経過したかどうか判定する（ステップＳ１１）。この判定において、使用者の指が領域設定有効高さにあって、かつ当該高さの状態で有効時間を経過したと判断した場合（即ち、ステップＳ１１の判定で「ＹＥＳ」と判断した場合）、使用者の指に対応する位置にスクロール有効領域を設定する（ステップＳ１２）。スクロール有効領域を設定した後は、スクロール方向及び速度を決定し、その後、スクロールを実行する。一方、ステップＳ１１の判定で、使用者の指が領域設定有効高さにあって、かつ当該高さの状態で有効時間を経過していないと判断した場合（即ち、ステップＳ１１の判定で「ＮＯ」と判断した場合）、ステップＳ１０に戻り、再度タッチパネル２よりＸ，Ｙ，Ｚデータを取得する。
【００７９】
実施形態（２）
上記実施の形態では、スクロール有効領域１０を１つだけ設定するようにしたが、複数表示するようにして、その中から自由に選択できるようにしても良い。実施形態（２）では、スクロール有効領域を設定するモード（これを“第３モード”と呼ぶ）を有する。
図６は、実施形態（２）のスクロール有効領域選択処理を示すフローチャートである。同図において、制御部６は、まずモードを使用モードから第３モードに切替える（ステップＳ２０）。次いで、複数のスクロール有効領域の候補パターンを表示する（ステップＳ２１）。次いで、使用者によるスクロール有効領域選択情報を取得する（ステップＳ２２）。使用者が複数のスクロール有効領域の候補の中から好みのものを選択すると、その情報を制御部６が取得する。制御部６は、使用者が選択したスクロール有効領域を設定する（ステップＳ２３）。新たなスクロール有効領域を設定した後、元の使用モードに切替える（ステップＳ２４）。元の使用モードに切替えた後、本処理を終える。
【００８０】
実施形態（３）
上記実施の形態では、スクロール有効領域１０の形状を四角形（図３参照）としたが、この形状に限定はなく、例えば三角形、円、楕円、扇形であっても良い。また、スクロール有効領域１０のサイズ（大きさ）及び／又は位置を変更できるようにしても良い。スクロール有効領域１０のサイズを変更するときは、例えば人差し指と親指を使用して、これらの指を広げることでサイズが大きくなり、狭めることでサイズが小さくなる。また、位置を変更するときは、例えばスクロール有効領域１０をドラッグ＆ドロップ操作する。
【００８１】
図７は、実施形態（３）を示す斜視図である。同図に示す例の（ａ）では、スクロール有効領域１０を筐体７の下端右側に配置し、横長の長方形に変更しており、（ｂ）では、スクロール有効領域１０を筐体７の下端中央に配置し、縦長の長方形に変更している。サイズとしては（ｂ）の方が大きくなっている。実施形態（３）では、スクロール有効領域のサイズ及び／又は位置を変更するためのモード（これを”第４モード”と呼ぶ）を有する。
【００８２】
図８は、実施形態（３）のスクロール有効領域のサイズ・位置変更処理を示すフローチャートである。同図において、制御部６は、まずモードを使用モードから第４モードに切替える（ステップＳ３０）。次いで、現在のスクロール有効領域を表示する（ステップＳ３１）。次いで、使用者によるスクロール有効領域の位置、サイズ変更情報を取得する（ステップＳ３２）。使用者がスクロール有効領域の位置、サイズを変更する操作を行うことで、変更情報を制御部６が取得する。制御部６は、スクロール有効領域の位置、サイズの変更情報を取得すると、使用者によって位置、サイズが変更されたスクロール有効領域を設定する（ステップＳ３３）。新たなスクロール有効領域を設定した後、使用者による設定完了指示があるかどうか判定し（ステップＳ３４）、設定完了指示がないと判断した場合（即ち、ステップＳ３４の判定で「ＮＯ」と判断した場合）、ステップＳ３２に戻る。これに対して、設定完了指示があると判断した場合（即ち、ステップＳ３４の判定で「ＹＥＳ」と判断した場合）、元の使用モードに切替える（ステップＳ３５）。元の使用モードに切替えた後、本処理を終える。
【００８３】
実施形態（４）
上記実施の形態では、第２モードで、スクロール有効領域１０を表示するようにしたが、単に表示するだけでなく、所定の透過率で表示するようにしても良い。スクロール有効領域１０を所定の透過率で表示させることで、必要に応じて図形を目立つようにすることも、目立たないようにもすることも可能となる。透過率が大きい程、図形は透けて見える。透過率１００％は、図形は見えなく図形の下が見える。透過率０％は、図形は見え、図形の下は見えない。
【００８４】
また、スクロール有効領域１０を透過表示する場合、第１モードのときは、第１透過率で表示し、第２モードのときは、スクロール有効領域１０を第１透過率より小さい第２透過率で表示するようにしても良い。このように、第１モードにおいて、スクロール有効領域１０が視認の邪魔にならないような透過率で表示し、第２モードにおいて、スクロール有効領域１０が視認できるような透過率で表示することで、操作性の向上が図れる。
【００８５】
実施形態（５）
上記実施の形態では、スクロールの方向を制御部６が決めるようにしたが、使用者がスクロールの方向を決めることができるようにしても良い。
図９（ａ）は、実施形態（５）を示す斜視図である。同図に示す例では、筐体７の中央から下側にスクロール有効領域（第１の領域）１０Ａを設定し、上側にスクロール有効領域（第２の領域）１０Ｂを設定し、使用者の指がスクロール有効領域１０Ａ上の有効高さ内に置かれた場合、表示部３における表示が例えば上方向（第１の方向）にスクロールし、使用者の指がスクロール有効領域１０Ｂ上の有効高さ内に置かれた場合、表示部３における表示が例えば下方向（第２の方向）にスクロールする。
スクロールの速さは、一定にしても良いし、指が置かれた場所に応じて変化させても良い。速さを一定にするとは、スクロール有効領域１０Ａ上であれば、どこであっても一定の速さで表示が上方向にスクロールし、スクロール有効領域１０Ｂ上であれば、どこであっても一定の速さで表示が下方向にスクロールする。
スクロールの速さを、指が置かれた場所に応じて変化させる例を、図９（ａ）の携帯電子機器１の左側に示したグラフを用いて説明する。このグラフにおいて、原点０から上方向に伸びる軸は、スクロール有効領域１０Ａ及び１０Ｂにおける上下方向（携帯電子機器１の長手方向）の場所に対応し、原点０から左方向に伸びる軸は、スクロールの速さ（絶対値）に対応する。このグラフにおいて、指が置かれた上下方向の場所と、スクロールの速さの関係の一例を実線で示す。この実線で示す様に、スクロール有効領域１０Ａと１０Ｂの境界において、スクロールの速さは０になり、境界から離れるに従って速さは大きくなり、スクロール有効領域１０Ａの下端、もしくはスクロール有効領域１０Ｂの上端において、速さは最大となる。
【００８６】
このように、使用者の指がスクロール有効領域１０Ａ上の有効高さ内にあるときは、表示が例えば上方向にスクロールし、使用者の指がスクロール有効領域１０Ｂ上の有効高さ内にあるときは、表示が例えば下方向にスクロールするので、使用者は、指を置く位置を変えるだけで、表示を上方向又は下方向にスクロールさせることができ、操作性の向上が図れる。また、所定の場所（スクロール有効領域１０Ａと１０Ｂの境界）を基準に、基準からの距離に応じて、スクロール等の速さを上下させることで、直感的であって操作性の高い携帯電子機器１を提供することができる。
更に、スクロールの方向だけでなく、複数のアイコン３３で構成され、表示部３において円弧に沿うように配置された、円弧に沿って回転可能なメニューの回転方向を切りかえるようにしても良い。この実施形態（５）の変形例の斜視図を図９（ｂ）に示す。
図９（ｂ）において、使用者の指がスクロール有効領域１０Ａ上の有効高さ内に置かれた場合、複数のアイコン３３が左回りに回転し、使用者の指がスクロール有効領域１０Ｂ上の有効高さ内に置かれた場合、複数のアイコン３３が右回りに回転する。
更に、図９（ａ）と同様に、回転の速さを一定にしても良いし、スクロール有効領域１０Ａと１０Ｂの境界において、アイコン３３の回転の速さは０とし、境界から離れるに従って速さは大きくなり、スクロール有効領域１０Ａの下端、もしくはスクロール有効領域１０Ｂの上端において、速さは最大となるようにしても良い。
このようにすることで、使用者は、指を置く位置を変えるだけで、メニュー等のアイコンを左回り及び右回りに回転させることができ、操作性の向上が図れる。また、所定の場所（スクロール有効領域１０Ａと１０Ｂの境界）を基準に、基準からの距離に応じて、アイコンの回転速さを上下させることで、直感的であって操作性の高い携帯電子機器１を提供することができる。
【００８７】
実施形態（６）
上記実施の形態では、表示部３を四角形とし、スクロール有効領域１０を常に重力方向側に配置するようにしたが、表示部３の重心を通る線（水平線）を境に一方に配置するようにしても良い。例えば、表示部３の重心を通る線を水平線とした場合、この水平線の下側即ち筐体７の下端側に配置する。スクロール有効領域１０の表示位置を固定することで、使用者は、装置本体の持ち方を変えても（例えば、天地逆にして持っても）スクロール有効領域の位置を把握することができる。
【００８８】
実施形態（７）
図１０は、実施形態（７）を示す斜視図である。同図において、表示部３は、長方形であり、長方形の表示部３の長手方向について２分する第１の線５０と、長方形の表示部３の短手方向について２分する第２の線を仮想的に想定した場合、２つの扇形のスクロール有効領域１０Ｃ，１０Ｄは、第１の線５０を境に一方であり、かつ第２の線５１を境に一方である部分を、少なくとも一部含む。即ち、表示部３を第１の線５０と第２の線５１で４分割した４つの領域の１つの領域に、２つの扇形のスクロール有効領域１０Ｃ，１０Ｄそれぞれの少なくとも一部分が含まれるように配置する。このように配置することで、使用者は、表示部３における表示の所定の方向への移動を、指を大きく動かすことなく行うことができる。
【００８９】
実施形態（８）
実施形態（８）は、表示部３を四角形とし、スクロール有効領域１０を四角形の表示部３の一辺に沿って配置するようにした。このように配置することで、使用者は、表示部３における表示の所定の方向への移動を、指を大きく動かすことなく行うことができる。
【００９０】
実施形態（９）
実施形態（９）は、実施形態（８）を発展させたものであり、２つの帯状のスクロール有効領域を有し、一方を四角形の第１の辺に沿って配置し、他方を四角形の第１の辺と向かい合う第２の辺に沿って配置するようにした。
【００９１】
実施形態（１０）
実施形態（１０）は、実施形態（９）の変形例であり、図１１は、この実施形態を示す斜視図である。同図において、表示部３を長方形の四角形とし、２つの帯状のスクロール有効領域１０Ｅ，１０Ｆのうち、スクロール有効領域１０Ｅを長方形の第１の長辺２Ａに沿って配置し、スクロール有効領域１０Ｆを長方形の第１の長辺２Ａと向かい合う第２の長辺２Ｂに沿って配置するようにした。このように配置することで、使用者は、表示部３における表示の所定の方向への移動を、指を大きく動かすことなく行うことができる。
【００９２】
実施形態（１１）
図１２は、実施形態（１１）を示す斜視図である。同図において、表示部３は、所定の機能に対応したアイコン３０〜３２を表示可能であり、２つの長方形のスクロール有効領域１０Ｇ，１０Ｈそれぞれの少なくとも一部がアイコン３０〜３２と重なっている。所定の機能に対応したアイコン３０〜３２と、スクロール有効領域１０Ｇ，１０Ｈを隣接配置することで、指を大きく動かすことなくそれぞれ機能を実行させることができる。
【００９３】
実施形態（１２）
実施形態（１２）は、実施形態（１１）を発展させたものであり、図１３は、この実施形態を示す斜視図である。同図において、タッチパネル２の一部分が表示部３に重なると伴に、他の部分が表示部３と重ならず、２つの長方形のスクロール有効領域１０Ｇ，１０Ｈそれぞれの少なくとも一部が、タッチパネル２の表示部３と重ならない部分にある。また、タッチパネル２のスクロール有効領域１０Ｇ，１０Ｈが設定される部分には、マーク３５〜３７が刻印されている。タッチパネル２に刻印されたマーク３５〜３７のそれぞれに触れると（タッチパネル２と使用者の指との間の距離が「０（ゼロ）」になると）、そのことを契機にそれぞれの機能が実行状態となる。マーク３５〜３７それぞれに対応する機能は、例えばホームキー、リターンキー、サーチキー、電源キー、ボリュームキー、及び、メニューキーのいずれか１つの機能である。所定の機能に対応したマーク３５〜３７と、スクロール有効領域１０Ｇ，１０Ｈを隣接配置することで、指を大きく動かすことなくそれぞれ機能を実行させることができる。
【００９４】
実施形態（１３）
実施形態（１３）は、実施形態（１）を発展させたものであり、図１４は、この実施形態を示す斜視図である。同図において、タッチパネル２と指との間の距離が第１の距離以下であり、かつ０より大きい状態が所定時間続く場合、スクロール有効領域（第１の領域）１０Ｊを、指のタッチパネル２における位置（ホバー検出座標位置）８に対応するように設定し、かつ、スクロール有効領域（第２の領域）１０Ｋをスクロール有効領域１０Ｊに並ぶように設定し、タッチパネル２のスクロール有効領域１０Ｊにおいて、タッチパネル２と指との間の距離が第２の距離以下であり、かつ０より大きい場合、表示部３における表示が例えば上方向（第１の方向）にスクロールし、タッチパネル２のスクロール有効領域１０Ｋにおいて、タッチパネル２と指との間の距離が第２の距離以下であり、かつ０より大きい場合、表示部３における表示が例えば下方向（第２の方向）にスクロールする。なお、第１の距離と第２の距離が同じであっても良い。また、スクロール有効領域１０Ｊとスクロール有効領域１０Ｋは、接するように並んでいても良いし、少し離れて並んでも良い。このように、タッチパネル２上の所望の位置で、表示部３における表示を上方向と下方向にスクロールさせることができる。
【産業上の利用可能性】
【００９５】
本発明は、直感的な操作が可能で、かつ疲労の少ない操作で表示部における表示をスクロールさせることができるといった効果を有し、スマートフォン等の静電容量方式のタッチパネルを用いた携帯電子機器への適用が可能である。
【符号の説明】
【００９６】
１  携帯電子機器
２  タッチパネル
３  表示部
４  加速度検出部
５  記憶部
６  制御部
７  筐体
８  ホバー検出座標位置
１０，１０Ａ，１０Ｂ，１０Ｃ，１０Ｄ，１０Ｅ，１０Ｆ  スクロール有効領域
１０Ｇ，１０Ｈ，１０Ｊ，１０Ｋ  スクロール有効領域
３０，３１，３２，３３  アイコン
３５，３６，３７  マーク
５０  第１の線
５１  第２の線
【図１】
2014081732.tif 000003
【図２】
2014081732.tif 000004
【図３】
2014081732.tif 000005
【図４】
2014081732.tif 000006
【図５】
2014081732.tif 000007
【図６】
2014081732.tif 000008
【図７】
2014081732.tif 000009
【図８】
2014081732.tif 000010
【図９】
2014081732.tif 000011
【図１０】
2014081732.tif 000012
【図１１】
2014081732.tif 000013
【図１２】
2014081732.tif 000014
【図１３】
2014081732.tif 000015
【図１４】
2014081732.tif 000016